(57)【要約】【課題】  無線基地局装置内の送信遅延時間の変動に対し、運用状態を考慮しサービスを中断することなく、無線基地局装置内の送信遅延時間を補正可能とするとともに、精度の良い位置検出を行える装置及び方法の提供。            【解決手段】  情報監視部２と、送信機部１１、１２、…、１ｎを備え、送信機部１１〜１ｎのそれぞれは、遅延制御部３、データ制御部４、遅延補正部５、ＲＦ部６を備え、情報監視部２は、各送信機部１１〜１ｎ内のデータ制御部での運用状態を監視しており、その運用状態に応じてデータ制御部４を制御し、拡散された遅延補正用信号と、拡散された主信号の多重信号を作成し、遅延補正部、ＲＦ部を経由し、アンテナ素子より出力し、遅延制御部３は、データ制御部４での遅延補正用信号を多重した時の信号と、ＲＦ部より検出される送信信号との間で比較処理することにより、送信遅延時間の算出を行う。【選択図】            図１
2005286416.tif 000002
【特許請求の範囲】
【請求項１】
遅延補正用信号を生成して拡散し主信号の拡散信号に多重させて出力するデータ制御部と、
前記データ制御部から前記遅延補正用信号と主信号の多重化信号を入力し、無線周波数部から送信信号のフィードバック信号を入力し、前記多重化信号と前記フィードバック信号を比較して遅延補正値を導出する遅延制御部と、
を備え、
前記遅延制御部で導出された遅延補正値に基づき、前記データ制御部からの出力信号を遅延させた信号が、前記無線周波数部に供給される、ことを特徴とする無線基地局装置。
【請求項２】
多重数及び／又は使用電力値が予め定められた所定の状況となった場合に、前記データ制御部は、前記遅延補正用信号を生成する、ことを特徴とする請求項１に記載の無線基地局装置。
【請求項３】
前記遅延補正用信号は、予め定められた所定の振幅変動パターンを有する、ことを特徴とする請求項１又は２に記載の無線基地局装置。
【請求項４】
情報監視部と、少なくとも１つの送信機部を備え、
情報監視部は、前記送信機部の運用状態を監視し、前記運用状態に応じて、前記送信機部を制御し、
前記送信機部は、遅延補正用信号を拡散する拡散部と、主信号を拡散する拡散部と、前記拡散部でそれぞれ拡散された前記主信号と前記遅延補正用信号を多重化して出力する多重化部とを有するデータ制御部と、
前記多重化された信号の遅延を補正する遅延補正部と、
前記遅延補正部からの信号を受けてアンテナに出力する無線周波数部と、
前記データ制御部から出力される、前記主信号と前記遅延補正用信号を多重した信号と、前記無線周波数部より検出される送信信号のフィードバック信号とを比較処理することにより、送信遅延時間の導出を行い、前記遅延補正部に補正値を出力する遅延制御部と、
を備えている、ことを特徴とする無線基地局装置。
【請求項５】
前記情報監視部は、前記送信機部の使用電力を少なくとも監視する、ことを特徴とする請求項４に記載の無線基地局装置。
【請求項６】
前記情報監視部は、前記送信機部の絶対遅延時間を少なくとも監視し、前記無線基地局装置内の送信遅延時間を調整する、ことを特徴とする請求項４に記載の無線基地局装置。
【請求項７】
１つ又は複数の送信機部と、情報監視部と、を備え、
前記送信機部は、
データ制御部と、
遅延補正部と、
無線周波数部と、
遅延制御部と、
を備え、
前記送信機部の前記データ制御部は、前記情報監視部に対して、ユーザ数、現在の電力、コード情報を与え、
前記情報監視部は、前記送信機部の前記データ制御部から受け取った情報を基に、前記送信機部に、設定振幅情報やコード情報を与え、
前記送信機部のデータ制御部は、前記情報監視部からの情報に基づき、遅延補正用信号を生成し、前記遅延補正用信号を拡散して主信号の拡散信号と多重して出力する手段を備え、
前記データ制御部より出力された信号は、前記遅延補正部に入力され、前記遅延補正部では、前記遅延制御部より与えられる補正値に従って遅延時間を可変に設定制御し、
前記遅延補正部からの出力信号は、前記無線周波数部に入力され、前記無線周波数部では、前記遅延補正部で補正された送信信号をアンテナから送信出力するとともに、前記遅延制御部に対して、前記送信信号をフィードバック信号として出力し、
前記遅延制御部は、前記データ制御部からの信号と、前記無線周波数部からの前記フィードバック信号とを入力して波形を比較することで、遅延時間を導出し、前記遅延補正部に対して前記補正値を供給する、ことを特徴とする無線基地局装置。
【請求項８】
前記送信機部の前記データ制御部が、
主信号制御部と、
前記主信号制御部の出力を受ける少なくとも１つの拡散部と、
補正用信号制御部と、
前記補正用信号制御部の出力を受ける拡散部と、
複数の前記拡散部の出力を加算して合成する加算合成部と、
を備え、
前記主信号制御部は、前記送信機部に割り当てられる、ユーザー数、電力、コード情報の内の少なくとも１つを管理し、前記情報監視部に対して、現在の使用総電力値、空きコード情報を与え、
前記情報監視部では、前記送信機部の前記データ制御部の主信号制御部から受け取った情報を基に、前記送信機部の前記データ制御部の前記補正信号制御部に対して、設定振幅情報やコード情報を与え、
前記送信機部において、
前記データ制御部の前記補正信号制御部は、遅延補正用信号を生成し、
前記遅延補正用信号は、前記拡散部で拡散され前記加算合成部にて、主信号と多重され、
前記データ制御部より出力された信号は、前記遅延補正部にて、前記遅延制御部より与えられる補正値に従って、遅延時間が制御され、前記無線周波数部に入力される、ことを特徴とする請求項７に記載の無線基地局装置。
【請求項９】
前記無線周波数部は、前記遅延制御部から入力した信号に対して送信に必要な周波数および電力に変換し、アンテナより無線電波として出力するとともに、カプラにて、前記遅延制御部に対して、フィードバックする信号を出力し、
前記遅延制御部は、前記データ制御部からの信号と、前記無線周波数部からの信号を比較し、遅延時間の導出を行う、ことを特徴とする請求項７に記載の無線基地局装置。
【請求項１０】
前記遅延制御部は、
波形整形器と、
分配器と、
補正算出器と、
を備え、
前記データ制御部からの信号は、前記分配器に入力され、
前記分配器から前記補正算出器および前記波形整形器へ出力され、
前記無線周波数部からの信号は、前記波形整形器に入力され、前記分配器からの情報をもとに、波形の整形を行い、前記補正算出器に入力され、
前記補正算出器では、遅延時間を算出する、ことを特徴とする請求項７に記載の無線基地局装置。
【請求項１１】
前記補正算出器は、
波形比較器と、
遅延値オフセット部と、
メモリ部と、
を備え、
前記波形比較器は、前記分配器の出力信号と、前記波形整形器の出力信号とを比較し、遅延時間を導出し、
前記メモリ部は、導出された絶対遅延時間を保存し、前記情報監視部に情報を与え、
前記遅延値オフセット部は、前記波形比較器によって導出された絶対遅延時間に対して、前記情報監視部からの指示により遅延オフセット値を可変制御し、
前記波形比較器では、前記データ制御部にて多重された信号と、前記無線周波数部よりフィードバックされた信号の波形を比較して、絶対遅延時間を導出し、前記メモリに保存する、ことを特徴とする請求項７に記載の無線基地局装置。
【請求項１２】
前記メモリに保存されたデータは、前記情報監視部にて監視されて、複数の前記送信機部の送信遅延時間が、送信ダイバーシチを構成する組毎に等しくなるように、前記情報監視部からの遅延値オフセット情報により、遅延オフセット値を制御し、前記遅延補正部に与える補正値を決定する、ことを特徴とする請求項９に記載の無線基地局装置。
【請求項１３】
情報監視部と、少なくとも１つの送信機部を備え、
前記情報監視部は、前記送信機部の運用状態を監視し、前記運用状態に応じて、前記送信機部を制御し、
前記送信機部は、遅延補正用信号を生成して拡散し、主信号を拡散し、拡散された主信号と遅延補正用信号を多重化して出力するデータ制御部と、無線周波数部を含む無線基地局装置の遅延時間補正装置であって、
前記データ制御部からの信号の遅延を補正する遅延補正部と、
前記データ制御部から出力される主信号と遅延補正用信号を多重した信号と、前記遅延補正部からの信号を受けてアンテナに出力する前記無線周波数部より帰還出力される送信信号のフィードバック信号とを入力して、比較処理することにより、送信遅延時間の導出を行い、前記遅延補正部に補正値を出力する遅延制御部と、
を備えている、ことを特徴とする遅延時間補正装置。
【請求項１４】
前記遅延制御部は、
波形整形器と、
分配器と、
補正算出器と、
を備え、
前記データ制御部からの信号は、前記分配器に入力され、
前記分配器から前記補正算出器および前記波形整形器へ出力され、
前記無線周波数部からの信号は、前記波形整形器に入力され、前記分配器からの情報をもとに、波形の整形を行い、前記補正算出器に入力され、
前記補正算出器では、遅延時間を導出する、ことを特徴とする請求項１３に記載の遅延時間補正装置。
【請求項１５】
前記補正算出器は、
波形比較器と、
遅延値オフセット部と、
メモリ部と、
を備え、
前記波形比較器は、前記分配器の出力信号と、前記波形整形器の出力信号とを比較し、遅延時間を導出し、
前記メモリ部は、導出された絶対遅延時間を保存し、前記情報監視部に情報を与え、
前記遅延値オフセット部は、前記波形比較器によって導出された絶対遅延時間に対して、前記情報監視部からの指示により遅延オフセット値を可変制御し、
前記波形比較器では、前記データ制御部にて多重された信号と、前記無線周波数部よりフィードバックされた信号の波形を比較して、絶対遅延時間を導出し、前記メモリに保存する、ことを特徴とする請求項１４に記載の遅延時間補正装置。
【請求項１６】
前記メモリ部に保存されたデータは、前記情報監視部にて監視されて、複数の前記送信機部の送信遅延時間が、送信ダイバーシチを構成する組毎に等しくなるように、前記情報監視部からの遅延値オフセット情報により、遅延オフセット値を制御し、前記遅延補正部に与える補正値を決定する、ことを特徴とする請求項１５に記載の遅延時間補正装置。
【請求項１７】
データ制御部と無線周波数部を含む送信機部を有する無線基地局装置の遅延時間補正方法であって、
前記データ制御部が、遅延補正用信号を生成して拡散し、主信号の拡散信号に多重させて出力する工程と、
前記データ制御部からの前記遅延補正用信号と主信号の多重化信号と、前記無線周波数部からの送信信号のフィードバック信号とを比較して遅延補正値を導出する工程と、
前記導出された遅延補正値に基づき、前記データ制御部からの出力信号を遅延させた信号を前記無線周波数部に供給する工程と、
を含む、ことを特徴とする無線基地局装置の遅延時間補正方法。
【請求項１８】
多重数及び／又は使用電力値が予め定められた所定の状況となった場合に、前記データ制御部は、前記遅延補正用信号を生成する、ことを特徴とする請求項１７に記載の無線基地局装置の遅延時間補正方法。
【請求項１９】
前記遅延補正用信号は、予め定められた所定の振幅変動パターンを有する、ことを特徴とする請求項１７又は１８に記載の無線基地局装置の遅延時間補正方法。
【請求項２０】
情報監視部と、少なくとも１つの送信機部を備えた無線基地局装置内の遅延時間補正方法であって、
前記情報監視部は、前記送信機部の運用状態を監視し、前記運用状態に応じて、前記送信機部を制御する工程と、
前記送信機部は、前記情報監視部からの制御を受け、遅延補正用の信号を生成し、遅延補正用の信号を拡散した信号と、主信号を拡散した信号を多重化して出力する工程と、
前記主信号と遅延補正用信号を多重した信号の遅延を遅延補正部で補正する工程と、
前記遅延が補正された信号を入力とする無線周波数部がアンテナから出力する工程と、
前記主信号と遅延補正用信号を多重した信号と、前記無線周波数部より検出される送信信号とを比較処理することにより、送信遅延時間の導出を行い、前記遅延補正部に補正値を出力する工程と、
を含む、ことを特徴とする無線基地局装置の遅延時間補正方法。
【請求項２１】
前記情報監視部は、前記送信機部の使用電力を少なくとも監視する、ことを特徴とする請求項２０に記載の無線基地局装置の遅延時間補正方法。
【請求項２２】
前記情報監視部は、前記送信機部の絶対遅延時間を少なくとも監視し、無線基地局装置内の送信遅延時間を調整する、ことを特徴とする請求項２０に記載の無線基地局装置の遅延時間補正方法。
【発明の詳細な説明】
【技術分野】
【０００１】
本発明は、移動体無線通信に関し、特に、移動通信端末装置と無線通信する無線基地局装置の遅延補正技術に関する。
【背景技術】
【０００２】
通常、ラウンドトリップタイム（Round Trip Time）などのローケーションサービス（Location Service）では、
（ａ）無線基地局から移動通信端末装置までのダウンリンク（Down Link）信号（TCP: Transmission Control Protocol）の到達時間、及び、
（ｂ）移動通信端末装置からのアップリンク（Up Link）信号（ACK：Acknowledgment）の無線基地局装置までの到達時間、
の情報により、確認応答の待ち時間（Retransmission Timer Value）の決定や、位置の特定を行う。
【０００３】
このため、無線基地局装置内で発生する遅延時間の偏差を補正し、同一無線基地局装置内の遅延時間を情報として持つなどして、遅延時間の補正が行われる必要がある。
【０００４】
無線基地局装置内の遅延時間の補正は、従来、一般に、送信機用のテスタなどを用いることにより、
・遅延時間の偏差を測定し、
・遅延時間調整回路により遅延量を調整する、
ことで行われている。
【０００５】
このため、
・現地での人的対応（人手による作業）や、
・測定系が必要である、
等の課題がある。
【０００６】
また、上記補正方法よる遅延量の補正が、無線基地局の設置時に行われ、経年変化による無線基地局内の遅延量の変動に対しては、運用を停止して、再調整する必要がある。
【０００７】
この問題の解決を図るために、例えば後記特許文献１には、遅延時間補正方法として、無線機の入出力の２波間の振幅レベルの変動パターンを比較し、一致するタイミング差を検出し、ダイバーシチ構成にある無線機が、このタイミング差と同等になるように制御を行うことで、ダイバーシチ構成にある無線機間の送信遅延時間差を零にするよう制御する構成が開示されている。
【０００８】
また遅延制御方式として、後記特許文献２には、送受信機能を有する０系と、送受信機能を有する１系とを含むＴＳＴＤ（Time Switch Transmit Diversity）方式を用いた送信ダイバーシチ遅延制御方式が開示されている。
【０００９】
さらに後記特許文献３には、送信ダイバーシチ構成の各送信機の０系の送信機と１系の送信機の遅延時間偏差を自動補正するＷ−ＣＤＭＡ無線基地局と遅延時間差補正方法が開示されている。
【００１０】
そして、後記特許文献４には、空き区間中に要求に応じて加入者によって送信される擬似ノイズ系列を用いて加入者ユニットによるランダムアクセス試行の正しい動作を保証し、通話中に加入者ユニットのＣＤＭＡ送信を用いて通話中の遅延等化の閉ループ制御を行い、遅延時間のわずかな変動を補償する構成が開示されている。
【００１１】
【特許文献１】特開２００３−２５８６９４号公報
【特許文献２】特開２００２−３７４１９３号公報
【特許文献３】特開２００３−１５８７７４号公報
【特許文献４】特開平０９−２１４４６７号公報
【発明の開示】
【発明が解決しようとする課題】
【００１２】
しかしながら、ＣＤＭＡ（符号分割多元接続）のように、同一周波数を複数のユーザーが利用するようなシステムにおいては、周波数の利用効率を上げるために、複数の信号に各々コードを持たせて多重する制御が行われている。
【００１３】
このため、実際に出力される信号の振幅変動は、激しく、急峻であり、２波間の振幅レベルの変動パターンを正確に比較することは困難である。
【００１４】
また、ＣＤＭＡは、高いピーク電力を持つことから、アナログデータへの変換後の高出力アンプでの歪等を考慮し、通常、ディジタル部分にて振幅制限が行われる。
【００１５】
この振幅制限処理により、ピークの値が、振幅制限値により丸め込まれてしまうため、ピーク値を特定することは困難となる可能性がある。
【００１６】
しがたって、本発明の目的は、無線基地局装置内の送信遅延時間の変動に対し、運用状態を考慮しサービスを中断することなく、無線基地局装置内の送信遅延時間を補正可能とするとともに、精度の良い位置検出を行える装置及び方法を提供することにある。
【課題を解決するための手段】
【００１７】
本願で開示される発明は、上記目的を達成するため、概略以下のように構成される。
【００１８】
本発明の１つのアスペクトに係る無線基地局装置は、遅延補正用信号を生成して拡散し主信号の拡散信号に多重させて出力するデータ制御部と、前記データ制御部から前記遅延補正用信号と主信号の多重化信号を入力し、無線周波数部から送信信号のフィードバック信号を入力し、前記多重化信号と前記フィードバック信号を比較して遅延補正値を導出する遅延制御部と、を備え、前記遅延制御部で導出された遅延補正値に基づき、前記データ制御部からの出力信号を遅延させた信号が、前記無線周波数部に供給される構成とされる。
【００１９】
本発明に係る無線基地局装置において、多重数及び／又は使用電力値が予め定められた所定の状況となった場合に、前記データ制御部は、前記遅延補正用信号を生成する構成としてもよい。
【００２０】
本発明に係る無線基地局装置において前記遅延補正用信号は、予め定められた所定の振幅変動パターンを有する構成としてもよい。
【００２１】
本発明の他のアスペクトに係る無線基地局装置は、情報監視部と、少なくとも１つの送信機部を備え、情報監視部は、前記送信機部の運用状態を監視し、前記運用状態に応じて、前記送信機部を制御し、前記送信機部は、遅延補正用信号を拡散する拡散部と、主信号を拡散する拡散部との出力を多重化して出力するデータ制御部と、前記多重化された信号の遅延を補正する遅延補正部と、前記遅延補正部からの信号を受けてアンテナに出力する無線周波数部と、前記データ制御部から出力される主信号と遅延補正用信号を多重した信号と、前記無線周波数部より検出される送信信号とを比較処理することにより、送信遅延時間の算出を行い、遅延補正部に補正値を出力する遅延制御部と、を備えている。
【００２２】
本発明において、前記情報監視部は、前記送信機部の使用電力を少なくとも監視する構成としてもよい。本発明において、前記情報監視部は、前記送信機部の絶対遅延時間を少なくとも監視し、無線基地局装置内の送信遅延時間を調整する構成としてもよい。
【００２３】
本発明の他のアスペクトに係る無線基地局装置は、１つ又は複数の送信機部（１１〜１ｎ）と、情報監視部（２）と、を備えている。前記送信機部（１１〜１ｎ）は、データ制御部（４）と、遅延補正部（５）と、無線周波数部（６）と、遅延制御部（３）と、を備えている。送信機部のデータ制御部（４）は、情報監視部（２）に対して少なくとも現在の電力を与え、情報監視部（２）は、前記送信機部（１１〜１ｎ）のデータ制御部（４）から受け取った電力情報を基に、前記送信機部（１１〜１ｎ）に、設定振幅情報やコード情報を与える。前記送信機部のデータ制御部（４）は、前記情報監視部（２）からの情報に基づき、補正用信号を生成し、前記補正用信号を拡散して主信号の拡散信号と多重して出力する手段を備えている。データ制御部（４）より出力された信号（補正用信号の拡散信号と主信号の多重信号）は遅延補正部（５）に入力され、遅延補正部（５）では、遅延制御部（３）より与えられる補正値に従って遅延時間を可変に設定制御し、遅延補正部（５）の出力信号は、無線周波数部（６）に入力され、前記送信機部（１１〜１ｎ）の無線周波数部では、前記遅延補正部で補正された送信信号をアンテナ（２１〜２ｎ）から送信出力するとともに、前記遅延制御部（３）に前記送信信号をフィードバック信号として出力する。遅延制御部（３）は、前記データ制御部からの信号と、前記無線周波数部からのフィードバック信号を比較して、遅延時間を導出し、前記遅延補正部（５）に補正値を出力する構成とされる。
【００２４】
本発明において、前記送信機部（１１〜１ｎ）の前記データ制御部（４）は、主信号制御部（４１）と、前記主信号制御部の出力を受ける拡散部（４２１〜４２ｎ）と、補正用信号制御部（４５）と、前記補正用信号制御部の出力を受ける拡散部（４６）と、複数の前記拡散部の出力を加算して合成する加算合成部（４４）と、を備えている。主信号制御部（４１）は、前記送信機部に割り当てられる、ユーザー数、電力、コード情報の内の少なくとも１つを管理し、前記情報監視部（２）に対して、現在の使用総電力値、空きコード情報を与え、情報監視部（２）では、前記送信機部（１１〜１ｎ）の前記データ制御部（４）の主信号制御部（４１）から受け取った情報を基に、前記データ制御部（４）の前記補正用信号制御部（４５）に対して、設定振幅情報やコード情報を与える。前記送信機部において、前記データ制御部（４）の前記補正用信号制御部（４５）は、補正用の信号を生成し、前記補正用信号制御部（４５）からの補正用の信号は、前記拡散部（４６）で拡散され前記加算合成部（４４）にて、主信号と多重され、前記データ制御部（４）より出力された信号は、前記遅延補正部（５）にて、前記遅延制御部（３）より与えられる補正値に従って遅延時間が制御され、前記無線周波数部（６）に入力される。
【００２５】
前記無線周波数部（６）は、前記遅延補正部（５）から入力した信号に対して送信に必要な周波数および電力に変換し、アンテナより、無線電波として出力するとともに、カプラにて前記遅延制御部に対して、フィードバックする信号を出力する。前記遅延制御部（３）は、前記データ制御部からの信号と、前記無線周波数部からの信号を比較し、遅延時間の導出を行う。
【００２６】
本発明において、前記遅延制御部（３）は、波形整形器（３１）と、分配器（３２）と、補正算出器（３３）と、を備え、前記データ制御部（４）からの信号は、前記分配器（３２）に入力され、前記分配器（３２）から前記補正値算出器（３３）および前記波形整形器（３１）へ出力され、前記無線周波数部からの信号は、前記波形整形器（３１）に入力され、前記分配器（３２）からの情報をもとに、波形の整形を行い、前記補正値算出器（３３）に入力され、前記補正値算出器（３３）では、遅延時間を算出する。
【００２７】
本発明において、前記補正値算出器（３３）は、波形比較器（３４）、遅延値オフセット部（３５）と、メモリ部（３６）と、を備え、前記波形比較器（３４）は、前記分配器（３２）の出力信号と、前記波形整形器（３１）の出力信号とを比較し、遅延時間を算出し、前記メモリ部（３６）は、算出された絶対遅延時間を保存し、前記情報監視部（２）に情報を与え、前記遅延値オフセット部（３５）は、前記波形比較器によって算出された絶対遅延時間に対して、前記情報監視部からの指示により遅延オフセット値を可変制御する。前記波形比較器（３４）は、前記データ制御部にて多重された信号と、前記無線周波数部よりフィードバックされた信号の波形を比較して、絶対遅延時間を算出し、メモリ部（３６）に保存する。
【００２８】
本発明において、メモリ部（３６）に保存されたデータは、情報監視部（２）にて監視されて、複数の前記送信機部（１１〜１ｎ）の送信遅延時間が、送信ダイバーシチを構成する組毎に等しくなるように、情報監視部（２）からの遅延値オフセット情報により、遅延オフセット値を制御し、遅延補正部（５）に与える補正値を決定する。
【００２９】
なお、上記した本発明の構成において括弧内の参照符号は、あくまで本発明の構成の理解のためのものであって、本発明を限定するためのものと解釈されるべきでないことは勿論である。
【００３０】
本発明の他のアスペクトに係る方法は、データ制御部と無線周波数部を含む送信機部を有する無線基地局装置の遅延時間補正方法であって、
（Ａ）前記データ制御部が、遅延補正用信号を生成して拡散し、主信号の拡散信号に多重させて出力する工程と、
（Ｂ）前記データ制御部からの前記遅延補正用信号と主信号の多重化信号と、前記無線周波数部から送信信号のフィードバック信号とを比較して遅延補正値を導出する工程と、
（Ｃ）前記導出された遅延補正値に基づき、前記データ制御部からの出力信号を遅延させた信号を前記無線周波数部に供給する工程と、を含む。
【００３１】
本発明の他のアスペクトに係る方法は、情報監視部と、少なくとも１つの送信機部を備えた無線基地局装置内の遅延時間補正方法であって、
（Ａ）前記情報監視部は、前記送信機部の運用状態を監視し、前記運用状態に応じて、前記送信機部を制御する工程と、
（Ｂ）前記送信機部は、前記情報監視部からの制御を受け、遅延補正用の信号を生成し、遅延補正用の信号を拡散した信号と、主信号を拡散した信号を多重化して出力する工程と、
（Ｃ）前記主信号と遅延補正用信号を多重した信号の遅延を遅延補正部で補正する工程と、
（Ｄ）前記遅延が補正された信号を入力する無線周波数部がアンテナから出力する工程と、
（Ｅ）前記主信号と遅延補正用信号を多重した信号と、前記無線周波数部より検出される送信信号とを比較処理することにより、送信遅延時間の導出を行い、前記遅延補正部に補正値を出力する工程と、を含む。
【発明の効果】
【００３２】
本発明によれば、遅延時間補正方式は、温度変動、及び、経年変化による無線基地局装置内の送信遅延時間の変動に対し、運用状態を考慮しサービスを中断することなく、無線基地局装置内の送信遅延時間を補正することにより、精度の良い位置検出を行える。
【発明を実施するための最良の形態】
【００３３】
上記した本発明についてさらに詳細に説述すべく、添付図面を参照して、発明を実施するための最良の形態について以下に説明する。
【００３４】
図１は、本発明の一つの実施の形態に係る無線基地局装置の構成を示す図である。図１を参照すると、無線基地局装置１は、情報監視部２と、ｎ個の送信機部１１、１２、…、１ｎを備えている。送信機部１１〜１ｎのそれぞれは、遅延制御部３、データ制御部４、遅延補正部５、ＲＦ（Radio  Frequency；無線周波数）部６を備えている。
【００３５】
図２は、図１のデータ制御部４の構成を示す図である。図２を参照すると、データ制御部４は、主信号制御部４１と、拡散部４２１〜４２ｎと、補正用信号制御部４５と、拡散部４６と、加算合成部４４を備えている。
【００３６】
情報監視部２は、各送信機部１１〜１ｎ内のデータ制御部４での運用状態を、常に監視しており、その運用状態に応じて、データ制御部４の補正用信号制御部４５を制御し、加算合成部４４にて、拡散された遅延補正用信号（４１ａ）と、拡散された主信号（４２１ａ〜４２ｎａ）の多重信号（４ａ）を作成し、遅延補正部５、ＲＦ部６を経由し、アンテナ素子（２１〜２ｎ）より出力する。
【００３７】
また、遅延制御部３は、データ制御部４での遅延補正用信号を多重した時の信号（４ｂ）と、ＲＦ部６より検出される送信信号のフィードバック（帰還）信号（６ｂ）との間で比較処理することにより、送信遅延時間の算出を行う。
【００３８】
以上の制御により、運用状態を考慮し、そのサービスを中断することなく、無線基地局装置内の送信遅延時間を補正することを可能とし、精度の良い位置検出を実現する。以下実施例に即して説明する。
【実施例】
【００３９】
本発明の一実施例について、添付図面を参照して以下に説明する。図１は、本発明の一実施例の構成を示す図である。図１を参照すると、無線基地局装置１は、情報監視部２と、その監視下にあるｎ台の送信機部１１〜１ｎを含む。図１には、ｎ台の送信機部１１〜１ｎは同一構成とされ、送信機部１１の構成が示されている。送信機部１１は、遅延制御部３、データ制御部４、遅延補正部５、ＲＦ部６、アンテナ素子２１を含む。
【００４０】
情報監視部２は、送信機部１１〜１ｎでの運用状態を監視しており、その送信電力状態に応じて、データ制御部４を制御し、補正信号の多重処理を実行する。
【００４１】
また、遅延制御部３は、データ制御部４と、ＲＦ部６からの信号を用いて、遅延時間補正値の算出を行い、無線基地局装置１内の各送信機部１１〜１ｎで同値となるように遅延補正部５により補正を行う。
【００４２】
さらに、遅延補正部５により遅延補正されたデータ５ａは、ＲＦ部６に入力され、アナログデータに変換された後、送信に必要な周波数帯にアップコンバートされ、アンテナ素子２１を介して、無線電波として送信される変調信号（１１ａ）と、遅延制御部３で使用される信号（６ｂ）とに分配される。
【００４３】
ＲＦ部６は、図示されないディジタル・アナログ変換器（ＤＡＣ）、ミキサ（ローカルオシレータと移相器を有し、ミキサで直交変調した信号を合成する回路）、帯域制限フィルタ（ＢＰＦ）、アンプ、自動利得制御（Auto Gain Control）アンプ、カプラなど公知の構成からなる。
【００４４】
図２は、データ制御部４の構成を示す図である。データ制御部４は、主信号制御部４１と、拡散部４２１〜４２ｎ、４６と、加算合成部４４と、補正用信号制御部４５とを備えている。
【００４５】
主信号制御部４１から、現状の運用情報４ｃが、情報監視部２に対して、常に、情報としてあげられており、該情報（現状の運用情報４ｃ）を基に、情報監視部２は、補正用信号制御部４５に対して、制御情報２１ａにより、制御を行う。
【００４６】
また、主信号制御部４１と補正用信号制御部４５より入力されたデータ４１１〜４１ｎ，４５ａは、それぞれ、拡散部４２１〜４２ｎ、４６に入力される。拡散部４２１〜４２ｎ、４６からの拡散データ（４２１ａ〜４２ｎａ，４６ａ）は。加算合成部４４に入力されて多重される。
【００４７】
加算合成部４４で多重されたデータの一方（４ａ）は、遅延補正部５に入力され、他方の多重データ（４ｂ）は、遅延制御部３に入力される。
【００４８】
図３は、図１の遅延制御部３の構成を示す図である。遅延制御部３は、ＲＦ部６から入力される信号（６ｂ）をアナログ・ディジタル変換し、波形を整形する波形整形器３１と、データ制御部４からの多重信号を分配する分配器３２、データ制御部４からＲＦ部６までの遅延時間を算出し遅延時間の補正値を与える補正値算出器３３を備えている。
【００４９】
補正値算出器３３は、ＲＦ部６およびデータ制御部４よりそれぞれ送られてくる信号（すなわち波形整形器３１の出力３１ａと、分配器３２の出力３２ａ）を比較する波形比較器３４と、比較された値を基に、遅延補正部５を制御する補正値３ａを与える遅延値オフセット部３５と、送信機部１１での遅延時間情報を記憶しておくメモリ部３６と、を備えている。メモリ部３６は、情報監視部２に対して、送信遅延情報１１ｂを出力する機能を有する。
【００５０】
本発明は、ＣＤＭＡ方式を用いた無線基地局装置１における送信部分に適用される。
【００５１】
図１に示したように、無線基地局装置１は、ｎ本（ｎは２以上の整数）のアンテナ素子２１〜２ｎを有しており、２本毎に、送信ダイバーシチ構成を持つ。本実施例では、送信機部１１と送信機部１２にて、送信ダイバーシチ構成を形成している。
【００５２】
図１の情報監視部２は、各送信機部１１〜１ｎの運用状態を統括して監視しており各送信機部１１〜１ｎから使用総電力値（４ｃ）や送信遅延時間情報（１１ｂ）を収集し、遅延制御部３およびデータ制御部４をそれぞれ制御する機能を有する。
【００５３】
ＣＤＭＡでは、周波数の利用効率を上げるために複数の信号に各々コードを持たせて多重する制御が行われる。
【００５４】
送信機部１１のデータ制御部４では、主信号制御部４１により割り当てられた各ユーザーデータ（４１１〜４１ｎ）を、それぞれ拡散部４２１〜４２ｎにて受け、コーディング処理を行った後、加算合成部４４にて、多重処理を行う。
【００５５】
多重されたデータ（４ａ）は、遅延補正部５を通り、ＲＦ部６に入力され、Ｄ／Ａ変換後、送信に必要な周波数、および電力に処理され、アンテナ素子２１より送信される。
【００５６】
この際、出力される多重データ（４ａ）は、合成されるデータによって、高いピーク電力を持つことから、アナログデータへの変換後の高出力アンプにおける歪等を考慮して、ディジタル部分にて振幅制限が行われる。
【００５７】
この振幅制限処理により、ピークの値が振幅制限値により丸め込まれてしまうためピーク値を特定することは困難となる。また、ピークの発生確率は、コーディングされたデータの組み合わせや変調方式、振幅制限方法の違いによって異なることから、特定することは困難である。このため、振幅設定値も可変する可能性がある。
【００５８】
そこで、本実施例では、上記問題点を解決するために、下記のような制御を用いる。
【００５９】
図２の主信号制御部４１は、送信機部１１に割り当てられるユーザー数や電力、コードなどを管理している。情報監視部２に対して、現在の使用総電力値および空きコード情報を与え、情報監視部２では、この情報をもとに、補正用信号制御部４５に対して、設定振幅情報やコード情報を与え、補正用信号制御部４５は、補正用の信号を生成する。
【００６０】
補正用の信号は、図４に示すように、固定の波形パターンを持っている。
【００６１】
情報監視部２からの指示により、補正用信号制御部４５は、所定の信号を出力し、加算合成部４４にて、主信号と多重される。
【００６２】
情報監視部２と、データ制御部４との間の情報の受け渡しの一例として以下のものがある。情報監視部２にて監視している送受信部１１内のデータ制御部４にて管理している使用総電力が設定最大電力に対して、４０％の使用状態であるとき、データ制御部４の補正用信号制御部４５に対し、残りの６０％程度の電力を割り当て、固定の波形パターンを持つ信号の出力指示を出す。本信号は他の主信号系と同様に、コードを割り当てることにより、加算合成部４４での多重後の信号は、通常のｎユーザーを多重した信号と同等に見えるため、運用状態に影響を与えることなく、アンテナ素子より、無線電波として送信することが可能となる。
【００６３】
また、主信号の使用総電力が、設定最大電力に対して、低い状態の際に割り当てることにより出力される信号の振幅変動は、固定パターンを持つ補正信号の振幅変動が支配的になるため、送信遅延時間算出の際の波形の比較が容易となる。
【００６４】
データ制御部４より出力された信号４ａは、遅延補正部５にて、遅延制御部３より与えられる補正値に従って遅延時間が、１／４チップ以上の精度で制御されＲＦ部６に入力される。
【００６５】
ＲＦ部６は、デジタルデータをアナログ信号に変換し、送信に必要な周波数および電力に変換し、アンテナ素子２１より、無線電波として出力する機能と、カプラにて遅延制御部３に対して、フィードバックする信号６ｂを出力する機能を有する。
【００６６】
遅延制御部３では、データ制御部４からの信号４ｂと、ＲＦ部６からの信号６ｂを比較し、遅延時間の算出を行う。
【００６７】
まず、データ制御部４からの信号４ｂは、分配器３２に入力され、補正値算出器３３および波形整形器３１へ出力される。また、ＲＦ部６からの信号６ｂは、波形整形器３１（アナログ・ディジタル変換器および検波器を有する）に入力され、ディジタルデータに変換された後、必要に応じて分配器３２からの情報３２ｂをもとに、波形の整形を行い補正値算出器３３に入力される。
【００６８】
ＲＦ部６より波形整形器３１に与えられる送信信号のフィードバック信号（６ｂ）は、高周波であり、検波器を通し、アナログ・ディジタル変換すると、その能力により、信号波形が崩れる可能性があるため、波形情報３２ｂにより、補助する機能を有するものとする。
【００６９】
ここで、波形整形器３１（図５（Ｂ）参照）による波形整形は、図５（Ａ）に示すように、通常、検波された値に対してある閾値で、アクティブ領域と、ゼロ領域を判断する。アクティブ領域の値は、ピーク値に張り付かせるが、実際には、検波器等の能力により、正確に判断できないことが予想される。このため、波形情報により、誤判断を最小限にとどめるようにする。
【００７０】
補正値算出器３３では、波形比較器３４は、データ制御部４にて多重された信号３２ａと、信号３１ａ（ＲＦ部６よりフィードバックされた信号６ｂを、ディジタル化した信号）とを比較し、遅延時間を算出する。メモリ部３６は、算出された絶対遅延時間３４ａを保存し、情報監視部２に情報を与える。
【００７１】
遅延値オフセット部３５は、波形比較器３４によって算出された絶対遅延時間３４ａに対し、情報監視部２からの指示により、遅延オフセットの値を制御する。
【００７２】
波形比較器３４では、データ制御部４にて多重された信号３２ａと（図４（ａ）参照）、ＲＦ部６よりフィードバックされた信号６ｂをディジタル化した信号３１ａ（図４（ｂ）参照）と、を比較して、１／４チップ以上の精度で、波形を比較し、絶対遅延時間Ｔｄ（図４参照）を算出し、メモリ３６に保存する。ここで、遅延時間算出に必要な精度は、送信ダイバーシチ構成を考えた場合、例えばチップレート３．８４Ｍｃｐｓ（メガチップ／秒）の条件下で、その効果を得るためには、アンテナ素子間の送信遅延時間を、１／４チップ以内に抑える必要があるためである。
【００７３】
メモリ部３６に保存されたデータは、情報監視部２にて監視されており、各送信機部１１〜１ｎの送信遅延時間が、全てもしくは送信ダイバーシチを構成する２組毎が等しくなるように、情報監視部２からの遅延オフセット情報２１ａにより、補正値算出器３３内の遅延値オフセット部３５を制御し、遅延補正部５に与える補正値を決定する。
【００７４】
このように、温度変動及び、経年変化による無線基地局装置内の送信遅延時間の変動に対し、運用状態を考慮し、そのサービスを中断することなく、無線基地局装置内の送信遅延時間を補正することにより、精度の良い位置検出を行うことができる。
【００７５】
情報監視部によって運用状況を監視し、その電力状態に応じて、送信信号をアンテナ毎に制御し、そのときの送信電力値を検出することにより、送信遅延時間の補正を行うことで、運用状態を考慮し、そのサービスを中断することなく、無線基地局装置内の遅延時間を補正することを可能とし、精度の良い位置検出を実現することができる。
【００７６】
その理由は、運用状況を監視することにより、状況に応じて送信信号に対して、遅延補正のための信号を、通常のユーザー信号と同様に、拡散処理し、多重することにより、サービスを中断することなく、補正をすることが可能となるためである。
【００７７】
本発明は、温度変動及び、経年変化による無線基地局装置内の遅延時間の変動に対し、運用状態を考慮しそのサービスを中断することなく、無線基地局装置内の遅延時間を補正することにより精度の良い位置検出を行うことができる。
【００７８】
以上本発明を上記実施例に即して説明したが、本発明は上記実施例の構成にのみ限定されるものでなく、本発明の範囲内で当業者であればなし得るであろう各種変形、修正を含むことは勿論である。
【図面の簡単な説明】
【００７９】
【図１】本発明の一実施例の無線基地局装置の構成を示す図である。
【図２】本発明の一実施例における送信機部（図１の１１）の構成の一例を示す図である。
【図３】本発明の一実施例における遅延補正部（図１の３）の構成の一例を示す図である。
【図４】本発明の一実施例における遅延補正部の波形比較器（図３の３４）の波形比較を説明するための図である。
【図５】本発明の一実施例における遅延補正部の波形整形器（図３の３１）での波形情報の利用例を説明するための図である。
【符号の説明】
【００８０】
１    無線基地局装置
２    情報監視部
３    遅延制御部
４    データ制御部
５    遅延補正部
６    無線周波数部（ＲＦ部）
１１〜１ｎ    ｎ番目の送信機部
２１〜２ｎ    ｎ番目のアンテナ素子
３１    波形整形器
３２    分配器
３３    補正値算出器
３４    波形比較器
３５    遅延値オフセット部
３６    メモリ部
４１    主信号制御部
４２１〜４２ｎ    ｎ番目の拡散部
４４    加算合成部
４５    補正用信号制御部
４６    補正信号用拡散部
【図１】
2005286416.tif 000003
【図２】
2005286416.tif 000004
【図３】
2005286416.tif 000005
【図４】
2005286416.tif 000006
【図５】
2005286416.tif 000007